(57)【特許請求の範囲】
【請求項１】
間仕切り用の扉の下部に設けた開口部に、この開口部を塞ぎ、かつ破壊、又は脱外される避難扉を設け、この開口部の開口内周辺部とこの避難扉の外周辺部との間に、鍔片付の第一の止め具、及び鍔片付の第二の止め具を設けてなる避難扉を備えた扉の構造であり、
前記第一の止め具の本体部に設けた差込み孔に支持される差込み体を、前記第二の止め具に設ける構成とするとともに、前記扉の開口部の周辺の一方外側の第一縁部と、前記避難扉の一方外側の第二縁部とに当接支持される鍔片を、前記本体部に設け、また、この扉の開口部の周辺の他方外側の第三縁部と、この避難扉の他方外側の第四縁部とに当接支持される鍔片を、前記差込み体に設ける構成とした避難扉を備えた扉の構造。
【請求項２】
前記差込み孔に、楔部を形成し、前記差込み体には被楔部を形成する構成とした請求項１に記載の避難扉を備えた扉の構造。
【請求項３】
前記第一の止め具と前記第二の止め具とを、前記開口部の開口内側の第五辺部と、この避難扉の外側の第六辺部と、の全ての部分に設ける構成とした請求項１又は２に記載の避難扉を備えた扉の構造。
【請求項４】
前記第一の止め具と、前記開口部の開口内側の第五辺部との間に、シーリング、接着剤、シリコンの何れかの手段でなる固定部を設ける構成とした請求項１から３のいずれか一項に記載の避難扉を備えた扉の構造。
【請求項５】
前記開口部は、前記間仕切り用の扉に設けるとともに、この間仕切り用の扉から離脱した、開口部に相当する面積を備えた前記間仕切り用の扉は、前記避難用の扉として利用できる構成とした請求項１から４のいずれか一項に記載の避難扉を備えた扉の構造。
【発明の詳細な説明】
【技術分野】
【０００１】
本発明は、避難扉を備えた扉の構造に関する。
【背景技術】
【０００２】
建屋で、例えば、トイレ、小部屋、又は建屋そのものにおける閉じ込め状況（所謂、緊急時）として考えられるのは、災害の際の倒壊、扉の傾き・扉前への物の落下等による閉じ込めとか、近時発生した人災（例えは、扉の前での人の病死による閉じ込め）がある。そして、時には、鍵の故障による閉じ込め（開放できないとき）がある。
【０００３】
このようなときには、簡単、かつ単純な方法は、扉の破壊である。この破壊には、体力と道具とを必要とする。従って、体力と道具とを備えない状況では、死に到ることもあり得ることと、現実に、このような痛ましい状況が発生している。
【０００４】
上記に鑑み、本発明者は、蹴たぐり動作で、扉が破壊できれば、閉じ込めの被害は解消できると考え、本出願に至ったものである。この考えを遂行するために、先ず先行調査に関する文献を説明するが、大きく分けて、蹴たぐり動作で、ワンタッチで破壊か取り外しできる構成と、ビス、止め具等の固定具を利用して、扉を取り外しできる構成とがある。
【０００５】
前者として、特開２００９−１７４３１１号公報とか、特開平１０−３７６１４号公報に記載の発明が挙げられる。また、後者としては、特開２０１４−２１４５２２号公報の発明が挙げられる。
【０００６】
【特許文献１】特開２００９−１７４３１１号公報
【特許文献２】特開平１０−３７６１４号公報
【特許文献３】特開２０１４−２１４５２２号公報
【発明の概要】
【発明が解決しようとする課題】
【０００７】
前記文献１においては、開口部と閉塞部材との取付けに工夫と、手間を有すること、並びに少なくとも、表面に化粧板とか化粧紙を貼着する構造であり、手間を要すること等の問題を抱えている。また、既設の扉を、避難扉に改良するには、適さないと考えられる。
【０００８】
前記文献２においては、非常脱出口と芯材及び表裏面板とでなる打ち抜き部とでなる構造であり、扉本体の表裏面体と一体となった非常脱出口の表裏面板であり、体裁は良いが、打ち抜きの際に、体力と道具とを要する可能性があと考えられる。また、文献１と同じように、既設の扉への設置は困難性があると考えられる。
【０００９】
前記文献３においては、ドアの脱出口を、塞蓋カバーと、プレートの組合せで、閉塞し、この閉塞をネジ嵌合で緊締する構造であり、塞蓋カバーの取り外しには、手数と時間とを有することが考えられ、緊急時の対応に問題を残すものと考えられる。
【課題を解決するための手段】
【００１０】
上記に鑑み、本発明は、少なくとも、蹴たぐり動作（衝撃動作の一種）で、扉が、簡便かつ素早く破壊できる避難扉（緊急対応用の扉を含む）を備えた構造の提供と、大部分の閉じ込めの被害を解消できる避難扉を備えた扉の構造、また、既設の扉への対応ができる避難扉を備えた扉の構造とを提供することを意図し、請求項１−請求項５を提供する。
【発明の効果】
【００１１】
請求項１の発明は、間仕切り用の扉の下部に設けた開口部に、開口部を塞ぎ、かつ破壊、又は脱外される避難扉を設け、開口部の開口内周辺部と避難扉の外周辺部との間に、鍔片付の第一の止め具、及び鍔片付の第二の止め具を設けてなる避難扉を備えた扉の構造であり、
第一の止め具の本体部に設けた差込み孔に支持される差込み体を、第二の止め具に設ける構成とするとともに、扉の開口部の周辺の一方外側の第一縁部と、避難扉の一方外側の第二縁部とに当接支持される鍔片を、本体部に設け、また、扉の開口部の周辺の他方外側の第三縁部と、避難扉の他方外側の第四縁部とに当接支持される鍔片を、差込み体に設ける避難扉を備えた扉の構造であり、（イ）  先ず、少なくとも、例えば、蹴たぐり動作で、扉の一部が、簡便かつ素早く破壊できる、（ロ）  大部分の閉じ込めの被害を解消できる、（ハ）  既設の扉への対応ができる、（ニ）  作成に当って、経費が掛らず有益である、等の特徴がある。
【００１２】
請求項２の発明では、差込み孔に、楔部を形成し、差込み体には被楔部を形成する避難扉を備えた扉の構造であり、請求項１に記載の（イ）−（ニ）に併せて、（ホ）  第一の止め具と第二の止め具とには、最適な緊締手段を提供できる。
【００１３】
請求項３の発明では、第一の止め具と第二の止め具とを、開口部の開口内側の第五辺部と、避難扉の外側の第六辺部と、の全ての部分に設ける避難扉を備えた扉の構造であり、請求項１に記載の（イ）−（ニ）に併せて、（へ）  第一の止め具と第二の止め具としての最適な構造を提供できる。
【００１４】
請求項４の発明では、第一の止め具と、開口部の開口内側の第五辺部との間に、シーリング、接着剤、シリコンの何れかの手段でなる固定部を設ける避難扉を備えた扉の構造であり、請求項１に記載の（イ）−（ニ）に併せて、（ト）  第一の止め具と、開口部の開口内側の第五辺部との最適な構造を提供できる。
【００１７】
請求項５の発明では、開口部は、間仕切り用の扉に設けるとともに、間仕切り用の扉から離脱した、開口部に相当する面積を備えた間仕切り用の扉は、避難用の扉として利用できる避難扉を備えた扉の構造であり、請求項１に記載の（イ）−（ニ）に併せて、（チ）  既設の扉の有効利用と経費の削減ができる実益がある。
【図面の簡単な説明】
【００１８】
【図１】第一実施例であり、間仕切り用の扉の一種である既設扉を利用し、既設扉に開口部を形成する状態を示した正面図
【図２】図１の開口部と、この開口部より離脱した（切離した）原型の避難扉を示した拡大断面図
【図３】原型の避難扉を利用して、避難扉を完成した状態の拡大正面図
【図４】第一の止め具と、第二の止め具とを、開口部の開口内周辺部と、避難扉の外周辺部との間に設けることの前提を示した（避難扉を固定する前の状態における要部を分解して示した）拡大断面図
【図５】図４に示した、第一の止め具と、第二の止め具とを、開口部の開口内周辺部と避難扉の外周辺部との間に設けることで、既設扉に、避難扉を固定した状態の正面図
【図６】図５に示した、既設扉の開口部に、第一の止め具と、第二の止め具とを利用して、避難扉を固定した状態の要部を示した拡大断面図
【図７】第二実施例であり、開口部と避難扉との間に形成された四隅のコーナーに、少なくとも、四個の第一の止め具と、同第二の止め具とを利用して、開口部の開口内周辺部に、避難扉を固定する前提を示した状態の正面図
【図８】図７に示した、既設扉の開口部に、第一の止め具と、第二の止め具とを利用して、避難扉を固定した状態の要部を示した正面図
【図９】第三実施例であり、開口部と避難扉との間に形成された、少なくとも、一組（上框に相当する位置）の第一の止め具と、同第二の止め具とを利用して、開口部の開口内周辺部に、避難扉を固定する前提を示した状態の正面図
【図１０】図９に示した、既設扉の開口部に、第一の止め具と、第二の止め具とを利用して、避難扉を固定した状態の要部を示した正面図
【図１１】第四実施例であり、開口部と避難扉との間に形成された、少なくとも、一組（上框に相当する位置）のシールを利用して、間仕切り用の扉の一種である既設扉を利用し、既設扉に開口部を形成する状態を示した正面図と、この開口部より離脱した（切離した）原型の避難扉を示した正面図
【図１２】図１１に示した、既設扉の開口部に、避難扉の所定部位（上框に相当する位置）にシール材を利用して、避難扉を固定する前の状態における要部を分解して示した正面図
【図１３】図１２に示した、既設扉の開口部に、シールを利用して、避難扉を固定した状態の要部を示した拡大断面図
【図１４】蹴たぐり、又は伸縮による別の既設扉の破壊、取外しの前提の所作を示した拡大断面
【図１５】第五実施例であり、開口部と避難扉との間に形成された、第一の止め具と、第三の止め具とを利用して、間仕切り用の扉の一種である既設扉を利用し、既設扉に開口部を形成する状態を示した要部の拡大断面図
【図１６】図１５に示した、既設扉の開口部に、第一の止め具と、第三の止め具とを利用して、避難扉を固定した状態の要部の拡大断面図
【発明を実施するための形態】
【００１９】
図示した一例であって、各形態の間仕切り用の扉１（建屋に取付けた既設の扉とか、取付け前の扉（新品）を含むが、或いは最初から、後述する開口部を備えた新品扉等を含むが、何れの状態の扉でも可能である）には、避難扉２（避難扉２とは、例えば、蹴たぐり動作で、破壊、又は取外しできる扉の形態）を取付ける開口部３を形成する（図１、図７と図９、図１１を参照）。この開口部３を開設することで、原型の避難扉２ａが形成される。しかし、この開口部３には、後述する第一の止め具、第二の止め具、或いはシールを固着、添設、又は圧着等するための隙間Ｈを設ける必要がある。そのために、原型の避難扉２ａで、必要とする外周辺部（符号なし）をカットする（カットを５とする）。このカット５で、隙間Ｈ（必要とする開口内周辺部３００と、避難扉２の（必要とする）外周辺部２００との間に形成された空間）が形成される（図３、図７と図９等を参照）。また、扉１、及び／又は、避難扉２は、表面に化粧板とか化粧紙を貼着する芯材で構成した在来の扉、表面に化粧板とか化粧紙を貼着するフレーム構造の扉（パネル構造）、合板扉、樹脂製扉、場合により金属製扉等を含む構造である。要部を図示した例では、図示しない框（言葉のみ、以下同じ）と枠材とでなる外郭体とし、その表裏面に表面板（表面紙）と裏面板（裏面紙）を貼着し、又は必要により、緩衝材を充填したパネル構造とした。
【００２０】
６は本体部６００の長手方向に開設した差込み孔６０１と、一方端部に鍔片６０２を有するブッシュ形状を呈する第一の止め具で、例えば、樹脂で可撓性を備える構造とする。この第一の止め具６は、開口部３の開口内周辺部３００に、固着、添設、又は圧着、接着、係着等で取付けられるとともに、鍔片６０１は、開口部３のある間仕切り用の扉１の一方Ｘ外側の第一縁部１００と、避難扉２の一方Ｘ外側の第二縁部２０１とに、それぞれ当接される。
【００２１】
また、７は差込み体７００と、他方端部に鍔片７０１を有する釘形状の第二の止め具で、例えば、樹脂で可撓性を備える構造とする。この第二の止め具７の差込み体７００は、第一の止め具６の差込み孔６０１に差込み係止されるとともに、鍔片７００は、開口部３のある間仕切り用の扉１の他方Ｙ外側の第三縁部１０１と、避難扉２の他方Ｙ外側の第四縁部２０２とに、それぞれ当接される。
【００２２】
この第一の止め具６と第二の止め具７との嵌合係止の手段として、差込み孔６０１の内面には抜け止め防止の楔部６０１ａを有し、また、差込み体７００の外周には抜け止め防止の楔部７００ａを有しており、図６に示した固定状態では、差込み孔６０１に差込み体７００が差込まれるとともに、楔部６０１ａに楔部７００ａが嵌合係止される。第一の止め具６と第二の止め具７との嵌合係止は、後述する破壊時に離脱される構造が必須要件である。
【００２３】
図示した間仕切り用の扉１、及び／又は、避難扉２、第１の止め具６、第二の止め具７等に於いては、その各形状とか、各寸法等は限定されない。
【００２４】
続いて、第一実施例の構造と組付けを、図１〜図６の一例に基づいて説明すると、図１の如く、間仕切り用の扉１（前述の通り、既設の扉、新品の扉、初めから製造する扉等を改良した、生物の脱出、及び／又は、避難用の扉である）に、鋸等の道具で、原型の避難扉２ａを切離し、同時に必要とする開口部３を開設する。この状態を、図１と図２に示している。続いて、開口部３に避難扉２を取付ける手段となる第一の止め具６と第二の止め具７を設けるための隙間Ｈを（一例である。開口部３の全内周辺部と避難扉２の全外周辺部との間に）形成するために、原型の避難扉２ａの必要とする箇所（この例では、外周辺部２００ａの全辺部）を切り落とす（カット５とする）ことで、避難扉２ができる。この状態を、図３と図４に示している。そして、開口部３の開口内周辺部３００の方形状の全周辺部に、一体枠形とか、上下框、及び／又は、左右框のように個別形でなる第一の止め具６の本体部６００を取付けるとともに、鍔片６０２を、開口部３の放射方向外郭で、かつ間仕切り用の扉１の一方Ｘの第一縁部１００に当接支持する。図４に於いて矢印で方向性を示している。この例では、鍔片６０２は、開口部３の外郭の全周で、かつ間仕切り用の扉１の一方Ｘの第一縁部１００の全周に設けられる。この第一の止め具６で囲繞された空間３０１（開口部３より狭くなったスペース）は、避難扉２が入り込める面積であるので、この空間３０１に、避難扉２を差し入れ、かつ避難扉２の一方Ｘの第二縁部２０１は鍔片６０２に衝止することで、図示しないが、避難扉２の一方Ｘは、間仕切り用の扉１の一方Ｘと面一になり、かつ開口内周辺部３００と避難扉２とを一体とする。最後に、開口部３の開口内周辺部３００の方形状の全周辺部に、一体枠形とか、上下框、及び／又は、左右框のように個別形でなる第二の止め具７の差込み体７００を、前述した如く、差込み孔６０１に嵌着し、かつ鍔片７０１を、避難扉２の他方Ｙの第四縁部２０２と、開口部３の外郭の全周で、かつ間仕切り用の扉１の他方Ｙの第三縁部１０１とに、それぞれ当接支持する。従って、避難扉２の他方Ｙは、間仕切り用の扉１の他方Ｙと面一になる。この状態を、図５と図６に示している。
【００２５】
このように、間仕切り用の扉１に、避難扉２を取付けたことで、緊急時に於いて、避難扉２を蹴たぐり、第一の止め具６、及び／又は、第二の止め具７の破壊、又は脱外（取外）とか、シール材（後述する）の破壊、又は脱外等の衝撃所作で、第一の止め具６・第一の封止具６０（個別とするか、又は省略等する）と第二の止め具７・第二の封止具７０（個別とするか、又は省略等する）との嵌合関係が崩れて、避難扉２が外れるか、又は破壊され（第一の止め具６と第二の止め具７との嵌合であっても、関係なく破壊され）、開口部３が開放されることで、この開口部３を避難口（脱出口）として避難することができる。本発明では、前述の方法で組付けることで、作業の簡便化と、組付け精度の確保等が図れる利便性がある。避難扉２は、一部の破壊でも可能であり、緊急時の迅速な避難に有益である（他の実施例も準ずる）。また、第一の止め具６、及び／又は、第二の止め具７の取外し、破壊には、図示しないが道具を使用することもできる（他の実施例も準ずる）。
【００２６】
次に、第二実施例の構造と組付けを、図７、図８の一例に基づいて説明すると、基本的な構造は、第一実施例と同じであり、その相違点のみを説明すると、開口部３と避難扉２との角隅部に、一体鍵形とか、複数部材の個別一文字形でなる第一の止め具６と第二の止め具７を設ける。そのためには、避難扉２の角隅部を切り落とし、隙間Ｈを造る。図７に示している。その組付け方法等は、第一実施例に基づく、またその他の開口部３と避難扉２との隙間Ｈは、必要によりシール材を充填する。避難扉２を蹴たぐる等の衝撃所作で、この避難扉２が外れるか、破壊される構造を確保する。その他は、前述の第一実施例に準ずる。第二実施例の個別の特徴は、第一の止め具６と第二の止め具７との小型化と、作業の簡便化等が図れる利便性がある。
【００２７】
さらに、第三実施例の構造と組付けを、図９、図１０の一例に基づいて説明すると、基本的な構造は、第一実施例、第二実施例と同じであり、その相違点のみを説明すると、開口部３と避難扉２との、何れか一辺部に、一文字形でなる一組の第一の止め具６と第二の止め具７を設ける。そのためには、避難扉２の何れか一辺部を切り落とし、図示のように隙間Ｈを造る。その組付け方法等、シール材の使用、及び／又は、破壊等に於いては、前述の第一実施例、第二実施例に準ずる。
【００２８】
その他の一例として、第四実施例の構造と組付けを、図１１〜図１４の一例に基づいて説明すると、基本的な構造は、第一実施例、第三実施例と同じであり、その相違点のみを説明すると、開口部３と避難扉２との、何れか一辺部に、一文字形とか、複数部材の個別一文字形でなる風船の如き袋体８０（シール材）を設けるとともに、袋体８０を保護する鍔付き第一の封止具６０と鍔付き第二の封止具７０とを設ける。そのためには、避難扉２の何れか一辺部を切り落とし、図示のように隙間Ｈを造る。図１１に示した一文字形である。この隙間Ｈに、袋体８０、第一の封止具６０と第二の封止具７０とを組付ける方法は、第一実施例に準じても良いが（即ち、第一の止め具６に備えた本体部６００と鍔片６０２と、第二の止め具７に備えた鍔片７０１とか、又は第二の封止具７０に設けた本体部「番号付さず」で、隙間Ｈに第一の封止具６０と第二の封止具７０と、第四実施例の本体部を取付け、又は鍔片６０２、７０１を当接支持する方法）、この例では、次の方法を採用する。先ず、袋体８０に空気を入れて膨らませ、その一辺を、開口内周辺部３００に取付ける。その後、空間３０１に避難扉２を嵌めこみ、開口内周辺部３００と避難扉２とを一体とする。その組付け方法等、シール材の使用、及び／又は、破壊等に於いては、前述の第一実施例、第三実施例に準ずる。また、図１４のピン８等の道具による空気抜き（破壊）もできる。
【００２９】
以上で説明した第一実施例〜第四実施例では、避難扉２を、蹴たぐり所作、又は第一の止め具６、及び／又は、第二の止め具７の取外し、破壊とか、袋体８０の取外し、破壊とか等により避難口を確保する所作を示したが一例であり、限定されない。いずれにしても、避難扉２の破壊とか、取外し所作により、閉じ込めの被害は解消できる。
【００３０】
尚、図１５と図１６に示した第五実施例では、前記第一の止め具６と、別の第三の止め具１０とを利用し、避難扉２を、開口部３に取付ける一例であり、第三の止め具１０は、例えば、樹脂で可撓性を備える構造とする。また、第三の止め具１０は、二重構造の楔部１０００ａと、１０００ｂとを備える。組付け（嵌合固止）は、例えば、第一の止め具６の差込み孔６０１の半分部位に第三の止め具１０の差込体１０００−１が、例えば、冶具を利用して（他の例も同じ）差込まれるとともに、第三の止め具１０の楔部１０００ａが、第一の止め具６の楔部６０１ａ１の、例えば、上半分の楔部６０１ａに、嵌合係止される。その後に、第一の止め具６の差込み孔６０１の、例えば、半分部位の楔部６０１ａに、避難扉２を鍔片１００１で係止した第三の止め具１０の差込体１０００−２が、冶具を利用して差込まれるとともに、第三の止め具１０の楔部１０００ａが、第一の止め具６の楔部６０１ａ２の、例えば、差込み孔６０１の下半部に差込み支持されるとともに、この第一の止め具６と、第三の止め具１０との嵌合係止により、避難扉２が扉１に支持される。この例では、避難扉２は、例えば、化粧板とか、表裏に化粧板（化粧紙）を備えたベニヤ板（符号なし）とか等である。この第五実施例は、その他の構造と組付け等は、第一実施例に準ずる。
【００３１】
以上の各実施例と説明、及び図面において説明した構造と効果等は、本発明の好ましい一例を示したものであり、他の実施例とか説明等であっても、本発明と同様な効果と特徴を有する他の構造、手段は、当然、本発明の範疇である。
【符号の説明】
【００３２】
１  間仕切り用の扉  
１００  第一縁部
１０１  第三縁部
２  避難扉
２ａ  原型の避難扉
２００  外周辺部
２０１  第二縁部
３  開口部
３００  内周辺部
３０１  空間
５  カット
６  第一の止め具
６０  第一の封止め具
６００  本体部
６０１  差込み孔
６０１ａ  楔部
６０１ａ１  楔部
６０１ａ２  楔部
６０２  鍔片
７  第二の止め具
７０  第二の封止め具
７００  差込み体
７００ａ  楔部
７０１  鍔片
８  ピン
８０  袋体
１０  第三の止め具
１０００−１  差込み体
１０００−２  差込体
１０００ａ  楔部
１０００ｂ  楔部
１００１  鍔片
Ｈ  隙間
Ｘ  一方
Ｙ  他方
【図１】
0006678987.tif 000002
【図２】
0006678987.tif 000003
【図３】
0006678987.tif 000004
【図４】
0006678987.tif 000005
【図５】
0006678987.tif 000006
【図６】
0006678987.tif 000007
【図７】
0006678987.tif 000008
【図８】
0006678987.tif 000009
【図９】
0006678987.tif 000010
【図１０】
0006678987.tif 000011
【図１１】
0006678987.tif 000012
【図１２】
0006678987.tif 000013
【図１３】
0006678987.tif 000014
【図１４】
0006678987.tif 000015
【図１５】
0006678987.tif 000016
【図１６】
0006678987.tif 000017